(57)【特許請求の範囲】
【請求項１】
送信対象画像データを符号化して受信側に送信する画像データ伝送装置において、
送信対象画像データと、該送信対象画像データの各画素位置に対応する秘匿化用データとに基づいて、該送信対象画像データの画素単位で所定の演算を行い秘匿化画像データを作成する演算手段と、
任意の符号データをセットし、送信対象画像データと一致する主走査、副走査サイズで復号化を行って得られる乱数データを秘匿化用データとして前記演算手段に出力するとともに、前記演算手段により作成された前記秘匿化画像データを符号化する算術符号化手段と、
符号化された前記秘匿化画像データ及び前記秘匿化用データを前記受信側に送信する伝送手段と
を備え、
前記算術符号化手段における符号化処理は、ＪＢＩＧ方式で採用される算術符号化方式に基づく処理であることを特徴とする画像データ伝送装置。
【請求項２】
前記演算手段における前記所定の演算は、各画素ごとの排他的論理和演算であることを特徴とする請求項１に記載の画像データ伝送装置。
【発明の詳細な説明】
【０００１】
【発明の属する技術分野】
本発明は、ファクシミリ装置等の画像データ伝送装置に関する。
【０００２】
【従来の技術】
通常、画像データの通信を行うときに、第三者に対して内容を秘匿する必要がある場合は、送信側から受信側に送信する画像データにパスワードを付帯させて通知し、受信側は、受信した画像データを無条件には出力しないで、メモリに蓄積しておき、受信側で入力されたパスワードと、送信側から通知されたパスワードとが一致した場合に限り、受信した画像データを出力する、いわゆる親展通信機能を用いる。
【０００３】
また、画像データの通信を行うときに、傍受を考慮する場合は、画像データに対してスクランブルをかけることにより出力した画像が判別できないようにする方法が種々提案されている。しかしながら、高い秘匿性を得ようとするとアルゴリズムが複雑化したり、秘匿処理用の大規模な回路を設けなければならない等の問題点がある。
【０００４】
特開平８−１０７５０６号公報に記載された「通信装置」においては、２値画像符号化方式の国際標準であるＪＢＩＧ(Joint Bi-level Image experts Group)方式 (JIS X 4311: ISO/IEC 11544)のうちプログレッシブモード（復号化時に段階的に低解像度から高解像度へと画像が復元されていく符号化方式）に関する秘匿方式について述べている。
【０００５】
当該通信装置においては、ＪＢＩＧ方式における最低解像度レイヤに対し暗号化処理を施すようにしている。ＪＢＩＧ方式では、復号化時には最低解像度レイヤの復元画像を参照しながら処理を進め、１段階解像度の高い画像を復元するため、最低解像度レイヤが暗号化されていれば、暗号を平文化しない限り、次段の解像度レイヤは正しく復号化することができず、さらに後段の高解像度レイヤに関しても、それぞれの前段解像度の画像を参照するため、その後の処理において画像を正しく再生することが不可能となり、画像の秘匿を達成している。
【０００６】
【発明が解決しようとする課題】
一方、ファクシミリ装置等の画像データ伝送装置においてＪＢＩＧ方式を用いる場合には、このようなプログレッシブモードではなくシーケンシャルモード（復号化時に画像が上から下へ順に再生される）を用いる。このような場合は階層的な画像構成となっていないため、符号化後のデータ全域が暗号化の対象となる。そのため符号データ量が多い場合などには暗号化／平文化の処理に必要な時間が増大してしまうという問題点があった。
【０００７】
本発明は係る事情に鑑みてなされたものであり、通信データに対し比較的簡易な構成で秘匿性を与えることができる画像データ伝送装置を提供することを目的とする。
【０００８】
【課題を解決するための手段】
上記目的を達成するため、請求項１に記載の画像データ伝送装置は、送信対象画像データを符号化して受信側に送信する画像データ伝送装置において、送信対象画像データと、該送信対象画像データの各画素位置に対応する秘匿化用データとに基づいて、該送信対象画像データの画素単位で所定の演算を行い秘匿化画像データを作成する演算手段と、任意の符号データをセットし、送信対象画像データと一致する主走査、副走査サイズで復号化を行って得られる乱数データを秘匿化用データとして前記演算手段に出力するとともに、前記演算手段により作成された前記秘匿化画像データを符号化する算術符号化手段と、符号化された前記秘匿化画像データ及び前記秘匿化用データを前記受信側に送信する伝送手段とを備え、前記算術符号化手段における符号化処理は、ＪＢＩＧ方式で採用される算術符号化方式に基づく処理であることを特徴とする。
【００１４】
請求項２に記載の画像データ伝送装置は、請求項１に記載の画像データ伝送装置において、前記演算手段における前記所定の演算は、各画素ごとの排他的論理和演算であることを特徴とする。
【００１６】
【発明の実施の形態】
以下、添付図面を参照しながら、本発明の実施の形態を詳細に説明する。
【００１７】
先ず、図１は、本発明の実施の形態に係る画像データ伝送装置としてのファクシミリ装置１のブロック構成を示している。
【００１８】
同図において、ファクシミリ装置１は、システム制御部２、ＲＯＭ３、ＲＡＭ４、画像入力手段５、画像出力手段６、符号化復号化部７、操作表示部８、通信制御部９、モデム１０、網制御部１１、及び、システムバス１２により構成されている。
【００１９】
システム制御部２は、ＲＯＭ３書き込まれた制御プログラムに従って、ＲＡＭ４を作業領域として使用しながら、装置各部を制御するマイクロコンピュータである。
【００２０】
ＲＯＭ３は、前述したように、システム制御部２が上記装置各部を制御するための制御プログラムが記憶されているリードオンリメモリである。
【００２１】
ＲＡＭ４は、前述したようにシステム制御部２の作業領域として使用されるランダムアクセスメモリであり、符号化前の画像データや符号化後の画像データの一時的な記憶のためにも使用される。
【００２２】
スキャナ５は、３．８５本／ｍｍ、７．７本／ｍｍ、１５．４本／ｍｍ等の所定の読み取り線密度で原稿画像を読み取って画情報を得るためのものである。
【００２３】
画像入力手段５は、ファクシミリ装置１に画像データを取り込むための手段であり、具体的には、原稿画像を読み取って必要な補正を行い量子化して画像データを得るためのスキャナ装置、ＣＤ−ＲＯＭ、フロッピーディスク等の記憶媒体に記録された画像データを読み取るデータ読取装置、パソコン等の他装置から、セントロニクスインターフェースやローカルエリアネットワーク等を介して画像データの転送をうけるための、インターフェース装置等である。
【００２４】
画像出力手段６は、ファクシミリ装置１から画像データを出力するための手段であり、具体的には、画像データを記録紙に可視出力するプロッタ装置、画像データをディスプレイに可視出力するディスプレイ装置、フロッピーディスク等の記憶媒体に画像データを記録するデータ記録装置、パソコン等の他装置へ、セントロニクスインターフェースやローカルエリアネットワーク等を介して画像データの転送するためのインターフェース装置等である。
【００２５】
符号化復号化部７は、送信画像データを、Ｇ３、Ｇ４ファクシミリに適合する、ＭＨ符号化方式、ＭＲ符号化方式、ＭＭＲ符号化方式、ＪＢＩＧ等等の所定の符号化方式で符号化圧縮する一方、受信画像データをＭＨ符号化方式、ＭＲ符号化方式、ＭＭＲ符号化方式、ＪＢＩＧ等に対応する所定の復号化方式で復号伸長するものである。
【００２６】
操作表示部８は、宛先電話番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００２７】
通信制御部９は、モデム１０や網制御部１１を制御してＧ３ファクシミリ通信を行うものである。モデム１０は、Ｇ３ファクシミリモデムで、網制御部１１を介して回線に送信するデータを変調する一方、網制御部１１を介してＰＳＴＮまたはＩＳＤＮの回線から受信した信号を復調してＧ３ファクシミリ通信を行い、符号化画像データの送受信を行うためのものである。また、モデム１０は、入力されたダイヤル番号に対応したＤＴＭＦ信号の送出も行う。網制御部１１は、回線に接続されて、回線の直流ループの閉結・解放や、回線の極性反転の検出、回線解放の検出、発信音の検出、ビジートーン（話し中）等のトーン信号の検出、呼出信号の検出等の回線との接続制御や、ダイヤルパルスの生成を行うものである。
【００２８】
通信制御部９、モデム１０及び網制御部１１は、いわば、符号化画像データの伝送装置として機能する。本実施の形態では、本発明に係る画像データ伝送装置をファクシミリ装置１に適用した場合を例にとっているため、符号化画像データを回線（ＰＳＴＮやＩＳＤＮ）を介して他装置との間で伝送するが、符号化画像データの他装置との間の伝送は、ＬＡＮ、セントロニクスインターフェース、ＲＳ−２３２Ｃインターフェース等のその他の形態であってもよいのはいうまでもない。
【００２９】
システムバス１２は、上記各部がデータをやり取りするための信号ラインである。
【００３０】
以上の構成のファクシミリ装置１は、図２に示すように、ＲＯＭ２に秘匿化用データ３ａを予め記憶している。この秘匿化用画像データは、後述する図５に示す送信処理手順において参照されるもので、画像入力手段５から入力された、図４に例示するような送信対象画像データを秘匿化するために用いられるものである。秘匿化用データ３ａは、目でみて判読しにくいものである必要があり、本実施の形態では、秘匿化用データ３ａとして、図３に示すような、送信対象画像データの各画素に対応した２値の乱数データを、用いる。なお、秘匿化用データ３ａとしての乱数データは、厳密な乱数でなくてもよいが、少なくとも、目で見て規則性がほとんど認識できないノイズ状のデータであることが望ましい。
【００３１】
次に、ファクシミリ装置１における送信処理手順について図５を参照して説明する。
【００３２】
同図において、システム制御部２は、画像入力手段５から順次入力されるか、または、画像入力手段５から入力しいったんＲＡＭ４に記憶した、図４に例示したような、２値の送信対象画像データを１画素分取り込むと共に（処理１００１）、処理１００１で取り込んだ画素位置に対応する画素分の秘匿化用データ３ａをＲＯＭ３から読み出す（処理１００２）。
【００３３】
そして、処理１００１及び１００２でそれぞれ読み出した画素データに対して排他的論理和演算を行い（処理１００３）、得られた演算結果の値を、秘匿化画像データの対応する位置の画素データとしてＲＡＭ４に記憶する（処理１００４）。処理すべき次画素がある場合は（判断１００５のＹｅｓ）、処理１００１に戻り、次画素を新たな処理対象画素として、処理１００１、処理１００２、処理１００３及び処理１００４を行う。
【００３４】
ここで、送信対象画像データ、秘匿化用データ、及び、送信対象画像データと秘匿化用データとの排他的論理和演算による秘匿化演算により得られる秘匿化画像データの対応について、図６に示す。
【００３５】
同図において、送信側における、送信対象画像データ（Ａ）の画素値１（白画素に対応）または画素値０（黒画素に対応））と、秘匿化用データ（Ｂ）の画素値との取り得る組み合わせは、（１，１）、（１，０）（０，１）（０，０）の４通りであり、それらの組合せにそれぞれ対応した、秘匿化画像データ（Ｃ）の画素値は、０，１，１，０である。これにより、図４に例示した送信対象画像データと、図３に示した秘匿化画像データとの画素単位の排他的論理和演算により得られた秘匿化画像データは、図７に示すように、見た目には、元の送信対象画像データの内容を認識することはできず、秘匿化が実現されている。
【００３６】
図５に戻って、１ページ分の送信対象画像データについての秘匿化処理が終了すると（判断１００５のＹｅｓ）、指定された受信側のファクシミリ装置の宛先番号に発呼して（処理１００６）、Ｇ３ファクシミリプロトコルに基づいて伝送前手順を行って符号化モードを含む各種通信パラメータを設定した後（処理１００７）、秘匿化用データ３ａをＲＯＭ３から読み出し（処理１００８）、受信側との間で設定した符号化モードで符号化し（処理１００９）、受信側に送信する処理を（処理１０１０）、秘匿化用データ３ａの全データの送信が完了するまで繰り返し（判断１０１１のＮｏループ）、送信が完了した場合は（判断１０１１）、次に、処理１００４でＲＡＭに記憶した秘匿化画像データを読み出し（処理１０１２）、受信側との間で設定した符号化モードで符号化し（処理１０１３）、受信側に送信する処理を（処理１０１４）、秘匿化用データ３ａの全データの送信が完了するまで繰り返し（判断１０１５のＮｏループ）、送信が完了した場合は（判断１０１５のＹｅｓ）、処理を終了する。
【００３７】
これにより、送信対象画像データそのものではなく、見た目には、共に、送信対象画像データの内容の認識が不可能な、秘匿化用データ及び秘匿化画像データが受信側に送信されるため、受信側が、図５に示した送信処理手順に対応した、後述する図１１の受信処理手順を行う本発明に係るファクシミリ装置１でなければ、受信側で出力される秘匿化用データや秘匿化画像データは、意味不明なものとなり、送信対象画像データに秘匿性を持たせることができる。また、秘匿化の処理は、送信対象画像データと秘匿化用データとの排他的論理和演算により行えるため、処理が簡便で、高速な処理が可能である。
【００３８】
なお、いったん秘匿化画像データを作成してＲＡＭ４に蓄積してから受信側に送信するのではなく、送信中に送信対象画像データと秘匿化データ３ａとを順次読み出して、秘匿化画像データを作成しつつ送信するようにしてもよいのはいうもでもない。また、送信対象画像データが複数ページ分ある場合には、各送信対象画像データに対応する秘匿化用画像データにそれぞれ秘匿化用データを付帯させて送信するのではなく、秘匿化用データは、各秘匿化用画像データに共通のものとして１回だけ送信するようにする。
【００３９】
図８に、図５に示した送信処理手順に基づくブロック構成について示す。
【００４０】
同図において、画像入力手段１０１から入力された送信対象画像データと、秘匿化用データとは、演算手段１０２により、画素単位の秘匿化演算、すなわち、排他的論理和演算がなされ、演算後の秘匿化画像データは、圧縮符号化手段１０３により符号化され、符号化後の、秘匿化用データ及び秘匿化画像データのそれぞれの符号データは、伝送手段１０４により相手先の受信側に送信される。また、制御手段１０５は、制御信号により画像入力手段１０１、圧縮符号化手段１０３、伝送手段１０４等を制御する。秘匿化用データ１０６は、予めメモリに記憶されているため、高速な読み出しが可能であり、秘匿化処理を高速に行える。
【００４１】
図９に、図８に示すブロック構成の変形例について示す。
【００４２】
図９において、図８に示すものと異なる点は、予め記憶した秘匿化用データ１０６を備えず、秘匿化用データを制御手段１０５が随時演算により生成する点である。
【００４３】
制御手段１０５は、ＲＯＭ３に記憶された疑似乱数データ生成プログラムに従い、画像入力手段１０１から演算手段１０２に入力される各画素ごとの送信対象画像データに対応する乱数データを随時出力する。なお、疑似乱数データの生成方法としては、二乗採中法や合同法等の公知の手法を適用できる。
【００４４】
これにより、秘匿化用データを予め記憶するためのメモリ容量を節減でき、低コスト化が可能となる。
【００４５】
また、図１０に、図９とは別構成の、図８に示すブロック構成の変形例について示す。
【００４６】
図１０において、図８に示すものと異なる点は、予め記憶した秘匿化用データ１０６を備えず、また、圧縮符号化手段１０３に代えて、算術符号化手段１０３ａを備え、算術符号化手段１０３ａが秘匿化用データを生成して演算手段１０２に入力している点である。
【００４７】
ＪＢＩＧ方式等で用いられる算術符号化方式は、［０，１）の範囲の数直線上に、符号化すべきシンボル系列をその出現確率に応じて定められた幅の区間にマッピングし、その区間内の一点を特定する２進小数値を符号とするものである。特にＪＢＩＧ方式で採用されている算術符号化方式はＱＭ−Ｃｏｄｅｒと呼ばれている。
【００４８】
算術符号化手段１０３ａにおいては、算術符号化を用いている。算術符号化の特徴として、原理的には入力したデータより出力したデータの方のサイズが大きくなると言うことはない。もっとも、ＱＭ−Ｃｏｄｅｒ等の実際の装置では内部の計算誤差等から、最悪で、入力したデータの数％程度大きくなることがある。しかし、ＭＨ、ＭＲ、ＭＭＲ方式等では本発明のような疑似ランダム系列の符号化を行おうとすると、入力の２倍あるいはそれ以上に出力データが増加してしまう場合がある。そのため算術符号化は本発明において好適な符号化であるといえる。
【００４９】
更に、ＪＢＩＧ方式における特徴として、符号を作成する際に符号末尾に連続する００ｈの列は符号列から削除してよいことになっている。復号器側では、符号が終了した後に復号作業が続く場合（符号が終了しても所定のサイズの復号が終了していない場合）００ｈを符号として符号列に付加し復号を続ける。このようにすることで符号器側との整合を取ることができる。このようにして復号を続けた場合に、所定のサイズを超えて復号化しようとすると、符号末尾に００ｈが付加され続け、所定サイズ以降の復号データはでたらめなものとなってしまい、秘匿化用データとしての乱数データとして使用可能である。例えば、図３に示した秘匿化用データとしての乱数データは、ＱＭ−ＣｏｄｅｒにＡＢＣＤｈの２バイトの符号をセットし、送信対象画像データと一致する主走査、副走査サイズで復号化を行って得られたものである。
【００５０】
また、当然であるが、そのようにして算出符号化手段が秘匿化用データとして生成した乱数データを符号化した場合の符号データはＡＢＣＤｈとなり、画像の複雑さからは想像できないほど少ない符号量となる。そこで、算術符号化手段１０３ａにおいては、適当な符号データをセットした後（何でもよい）、復号化を行うことによって、秘匿化用データとしての乱数データを生成して演算手段１０２に入力して、演算手段１０２は、送信対象画像データと算術符号化手段１０３ａからの秘匿化用データとに排他的論理和演算を行い秘匿化画像データを算術符号化手段１０３ａに出力する。算術符号化手段１０３ａは、秘匿化用データと、秘匿化画像データとをそれぞれ算術符号化して出力するが、秘匿化用データについては、算術符号化した符号データは、このデータを生成させるときに用いた符号データと同じになるため、再度符号化する必要はなく、そのまま符号として伝送手段１０４に出力すればよい。
【００５１】
これにより、秘匿化用データを、予めメモリに記憶することもなく、制御手段１０５によるプログラムの実行による生成のために、当該プログラムを記憶しておく必要もなく、算術符号化部１０３ａが本来備える算術符号器により高速に生成することができる。
【００５２】
次に、ファクシミリ装置１における受信処理手順について図１１を参照して説明する。
【００５３】
同図において、システム制御部２は、着信があるかを監視し（判断２００１のＮｏループ）、着信があると（判断２００１のＹｅｓ）、Ｇ３ファクシミリプロトコルに基づいて伝送前手順を行って復号化モードを含む各種通信パラメータを設定した後（処理２００２）、第１ページ目の符号化されている秘匿化用データを受信し（処理２００３）、送信側との間で設定した復号化モードで復号化し（処理２００４）、解読用データとしてＲＡＭ４に記憶する処理を、１ページ分の秘匿化用データの受信が完了するまで繰り返す（判断２００６のＮｏループ）。なお、処理２００５で記憶される解読用データは、図３に例示した秘匿化用データと同一のものであり、送信側における秘匿化用データが、受信側では、送信対象画像データの復元のための解読用データとして使用される。
【００５４】
符号化された秘匿化用データの受信及び解読用データへの変換が完了すると（判断２００６のＹｅｓ）、続いて第２ページ目の、符号化されている秘匿化画像データを受信し（処理２００７）、送信側との間で設定した復号化モードで復号化し（処理２００８）、その復号化した、秘匿化画像データの各画素と対応する解読用データをＲＡＭ４から読み出し、画素間で排他的論理和処理を行い（処理２００９）、画像出力手段６から出力する処理を（処理２０１０）、１ページ分の秘匿化画像データの受信が完了するまで（判断２０１１のＹｅｓ）、繰り返す（判断２０１１のＮｏループ）。なお、受信される秘匿化画像データが複数ページある場合は、そのページ数分だけ、処理２００７ないし判断２０１１が繰り返される。
【００５５】
ここで、受信した秘匿化画像データ及び解読用画像データと、それらのデータ間の排他的論理和演算による解読演算により得られ処理２０１０により出力される出力画像データとの対応と、送信側における送信対象画像データ、秘匿化用データ及び秘匿か画像データとの関係について、図６を参照して説明する。
【００５６】
同図において、受信側において受信した秘匿化画像データ（Ｄ）は、送信側において送信対象画像データ（Ａ）と秘匿化用データ（Ｂ）との排他的論理和演算の結果得られた秘匿化画像データ（Ｃ）と同一のものであり、その秘匿化画像データ（Ｄ）の画素値１（白画素に対応）または０（黒画素に対応））と、送信側における秘匿化用データ（Ｂ）と同一の解読用データ（Ｅ）の画素値との取り得る組み合わせは、（０，１）、（１，０）（１，１）（０，０）の４通りであり、それらの組合せにそれぞれ対応した、出力画像データ（Ｆ）の画素値は、１，１，０，０で、元の送信対象画像データ（Ａ）と同一である。
【００５７】
このように、送信側において、図４に例示した送信対象画像データと、図３に示した秘匿化画像データとの画素単位の排他的論理和演算により得られた秘匿化画像データは、受信側において正しく元の送信対象画像データに可逆復元される。
【００５８】
図１２に、図１１に示した受信処理手順に基づくブロック構成について示す。
【００５９】
同図において、伝送手段（受信）２０１により受信された、符号化されている秘匿化用データ及び秘匿化画像データは、復号化手段２０２により復号化され、解読用データについては、解読用データとしてメモリ手段２０３に記憶され、演算手段２０４においては、メモリ手段２０３からの解読用データと、復号化手段２０２からの秘匿化画像データにより、画素単位の解読演算、すなわち、排他的論理和演算がなされ、演算後の出力画像データは、画像出力手段２０５から出力される。また、制御手段２０６は、制御信号により復号化手段２０２、メモリ手段２０３、画像出力手段２０５等を制御する。
【００６０】
このように、本実施の形態によれば、画像データに秘匿性を持たせた伝送が可能になると共に、そのための秘匿化処理及び解読処理は、簡易な構成で高速に行うことができる。
【００６１】
【発明の効果】
請求項１に係る発明によれば、前記送信対象画像データをそのまま受信側に送信するのではなく、それに代えて、前記送信対象画像データと前記秘匿化用データとに基づいて画素単位で所定の演算を行って作成した前記秘匿化画像データと前記秘匿化用データとを、ＪＢＩＧ方式で算術符号化して受信側に送信するため、もし受信側で通常のＪＢＩＧ方式の算術復号化を行おうとした場合、前記秘匿化画像データ及び前記秘匿化用データが再生されることとなり、本来送信しようとする前記送信対象画像データが受信側では正しく再現されることがない。したがって、通信データに対し比較的簡易な構成で秘匿性を与えることが可能となる効果が得られる。また、秘匿化用データを、予めメモリに記憶することもなく、プログラムの実行による生成のために、当該プログラムを記憶しておく必要もなく、前記算術符号化手段が本来備える算術符号器により高速に生成することができる。
【００６７】
請求項２に係る発明によれば、秘匿化画像データを、前記送信対象画像データと前記秘匿化用データとの各画素ごとの排他的論理和演算により作成でき、また、受信側で前記秘匿化画像データと前記秘匿化用データとに各画素毎の排他的論理和演算を行えば、前記送信対象画像データを復元することができるため、簡単な演算で高速の処理を行うことが可能となる効果が得られる。
【図面の簡単な説明】
【図１】本発明の実施の形態に係る画像データ伝送装置としてのファクシミリ装置のブロック構成を示す図である。
【図２】本発明の実施の形態に係るファクシミリ装置のＲＯＭの記憶内容について示す図である。
【図３】秘匿化（解読）用データのイメージを示す図である。
【図４】送信対象画像データの一例について示す図である。
【図５】本発明の実施の形態に係るファクシミリ装置における送信処理手順について示すフローチャートである。
【図６】送信側における秘匿化演算と受信側における解読演算との対応を示す図である。
【図７】秘匿化画像データのイメージを示す図である。
【図８】図５に示す処理手順に基づくブロック構成について示す図である。
【図９】図８に示すブロック構成の変形例について示す図である。
【図１０】図８に示すブロック構成の変形例について示す図９とは別の図である。
【図１１】本発明の実施の形態に係るファクシミリ装置における受信処理手順について示すフローチャートである。
【図１２】図１１に示す処理手順に基づくブロック構成について示す図である。
【符号の説明】
１  ファクシミリ装置
２  システム制御部
３  ＲＯＭ
３ａ  秘匿化用データのための記憶領域
４  ＲＡＭ
５  画像入力手段
６  画像出力手段
７  符号化復号化部
８  操作表示部
９  通信制御部
１０  モデム
１１  網制御部
１２  システムバス
１０１  画像入力手段
１０２  演算手段
１０３  圧縮符号化手段
１０３ａ  算術符号化手段
１０４  伝送手段
１０５  制御手段
１０６  秘匿化用データ
２０１  伝送手段（受信）
２０２  復号化手段
２０３  メモリ手段
２０４  演算手段
２０５  画像出力手段
２０６  制御手段
【図１】
0003848002.tif 000002
【図２】
0003848002.tif 000003
【図３】
0003848002.tif 000004
【図４】
0003848002.tif 000005
【図５】
0003848002.tif 000006
【図６】
0003848002.tif 000007
【図７】
0003848002.tif 000008
【図８】
0003848002.tif 000009
【図９】
0003848002.tif 000010
【図１０】
0003848002.tif 000011
【図１１】
0003848002.tif 000012
【図１２】
0003848002.tif 000013